(57)【要約】【課題】  一つの入力部１に複数のコマンドを対応させ、短押し操作、長押し操作で異なるコマンドを実行させる場合、長押し操作時に連続押下時間の確認ができないため、どれくらいの時間操作キーを押下していれば、長押し操作に対応したコマンドの呼び出し、及び実行がなされるかユーザーにとって理解し難いものであった。【解決手段】  長押し操作時に入力部１に割当てられたコマンドに対応するコマンド表示、及び長押し操作の操作時間を表示部５に表示するように構成し、ユーザーが実行されるコマンド、及び操作時間を確認できるようにした。【選択図】          図１
2007086977.tif 000002
【特許請求の範囲】
【請求項１】
所定の動作を指令するコマンドを一つの入力部に対して複数割当て、該入力部が連続操作された操作時間に対応して所定のコマンドを実行する携帯機器であって、
入力部に対応して複数割当てられたコマンドを記憶するコマンド記憶部、
上記入力部が連続して操作されている操作時間を検出する連続入力時間検出部、
上記入力部の操作終了時に上記連続入力時間検出部が検出している操作時間に対応するコマンドを実行するコマンド実行部、
上記入力部に割当てられたコマンドに対応するコマンド表示、及び上記連続入力時間検出部の検出する操作時間を表示する表示部を備えたことを特徴とする携帯機器。
【請求項２】
表示部が表示するコマンド表示は少なくとも、時間の経過により次に実行可能となるコマンドに対応したコマンド表示であることを特徴とする請求項１に記載の携帯機器。
【請求項３】
表示部は連続入力時間検出部の検出する操作時間と共に、時間の経過により次のコマンドが実行可能となるまでの時間を表示することを特徴とする請求項１に記載の携帯機器。
【請求項４】
操作時間の表示を図形表示することを特徴とする請求項１に記載の携帯機器。
【請求項５】
図形表示がバー表現、又は円形表現の何れかであることを特徴とする請求項４に記載の携帯機器。
【発明の詳細な説明】
【技術分野】
【０００１】
本発明は、携帯電話機等の携帯機器に適用され、特に一つの入力部に対して複数のコマンドを割当てた入力部を有する携帯機器に関する。
【背景技術】
【０００２】
携帯電話機にあっては、小型化が進められている一方で多機能化が進んでいる。したがって、所定の動作を指令する多数のコマンドに対して１対１に操作キーを対応させて実装するには、小さい操作キーを実装しなければならないが、小さすぎると操作が困難になる。このため、一つの操作キーに対して複数のコマンドを対応させた技術が特許文献１に記載されている。この技術は、操作キーの操作時間によって、操作時間が短い場合（以下、短押し操作という。）にはコマンド１を実行させ、長い場合（以下、長押し操作という。）にはコマンド２を実行させるようにしたものである。したがって、ユーザーが短押し操作と長押し操作を行なうことで、一つの操作キーに二つのコマンドを対応させることができる。
【０００３】
【特許文献１】特開２００２−１８２８３３号公報
【発明の開示】
【発明が解決しようとする課題】
【０００４】
従来の技術では、長押し操作時に画面上での連続押下時間の確認ができないため、どれくらいの時間操作キーを押下していれば、長押し操作に対応したコマンドの呼び出し、及び実行がなされるかユーザーにとって理解し難いものであった。
【０００５】
また、実行されるコマンドが呼び出し時に確認できないため、ユーザーは長押しによって実行されるコマンドを記憶しておくか、もしくは、長押し操作後に呼び出された機能を確認するか、あるいは携帯機器側の操作キーに２重でキーシルクを表記し、長押しで実施されるコマンドを認識する必要がある。
【０００６】
また、従来の技術では、操作キーの連続押下時間の確認ができないことより、３つ以上の複数機能を１つのボタンに割当てると、連続押下時間の違いで呼び出されるコマンドの違いを認識することが、ユーザーにとって難しく、３つ以上の複数機能を１つの操作キーに割当てること困難であった。したがって、機能の増加に伴う、操作キーの増加が避けられなかった。
【課題を解決するための手段】
【０００７】
本発明における携帯機器は、所定の動作を指令するコマンドを一つの入力部に対して複数割当て、該入力部が連続操作された操作時間に対応して所定のコマンドを実行する携帯機器であって、入力部に対応して複数割当てられたコマンドを記憶するコマンド記憶部、上記入力部が連続して操作されている操作時間を検出する連続入力時間検出部、上記入力部の操作終了時に上記連続入力時間検出部が検出している操作時間に対応するコマンドを実行するコマンド実行部、上記入力部に割当てられたコマンドに対応するコマンド表示及び上記連続入力時間検出部の検出する操作時間を表示する表示部から構成したものである。
【発明の効果】
【０００８】
本発明によれば、入力部に割当てられたコマンドに対応するコマンド表示と入力部の連続操作時間とを表示部に表示するようにしているので、実行されるコマンドが呼び出し時に確認でき、２以上のコマンドを一つの入力部に割当ててもスムーズに操作が可能になる効果がある。
【発明を実施するための最良の形態】
【０００９】
以下、本発明の実施の形態を図について詳述する。図１は一つの入力部に二つのコマンドを割当てた場合の例であり、図１（ａ）に短押し操作時にコマンドＡ１の実行を指令する操作キーと表示部の表示例を示している。また、図１（ｂ）に表示機能を有したタッチパネル上に短押し操作時にコマンドＡ１の実行を指令するボタンを設けた表示例を示している。
【００１０】
図１（ａ）の操作キーを短押し操作した場合、コマンドＡ１が起動される。短押し操作の閾値は２００ｍｓとしており、ユーザーが操作キーを押下する連続操作時間が１９９ｍｓ以内であれば、携帯機器はコマンドＡ１を実行する。また、長押し操作の閾値は１５００ｍｓとしており、ユーザーが操作キーを押下する連続操作時間が１５００ｍｓを越えると操作キーが押下されている、いないに拘わらず、携帯機器はコマンドＡ２を実行する。
【００１１】
ユーザーが操作キーを押下している連続操作時間が２００ｍｓ〜１５００ｍｓの間は表示部に図示のようにバー表現で連続操作時間と長押し操作時に起動されるコマンドＡ２を表示する。この時間表示とコマンドの表示を長押しフィードバック表示と称する。図示の表示からユーザーは、操作キーの押下開始からの連続操作時間と、長押し操作でコマンド２が起動されるまでの残り時間と、長押し操作で起動されるコマンドがコマンド２であることを認識することができる。
【００１２】
一方、図１（ｂ）のタッチパネルの例も同様でボタンの表示を短押し操作するとコマンドＡ１が起動されて携帯端末がそのコマンドＡ１を実行し、長押し操作するとコマンド２が起動されて携帯端末がそのコマンドＡ２を実行する。このタッチパネルでは円形表現で時間表示をした長押しフィードバック表示がなされている。
【００１３】
図２は図１の操作キー、ボタンの操作と長押しフィードバック表示と携帯機器の動作との関係を示した説明図である。図において、横軸は時間であり、短押しの閾値を２００ｍｓ、長押しの閾値を１５００ｍｓに設定している。
【００１４】
即ち、キー、ボタンの連続操作時間が０ｍｓ〜１９９ｍｓの間は、長押しフィードバック表示はなされない。つまり、この間にキー、ボタンの押下操作を中断すると、短押し操作になるので、短押し操作の度に毎回長押しフィードバックを表示すると、通常の短押し操作では返って長押しフィードバック表示が操作ノイズとなるため、短押しと定義した閾値までは、通常操作と同様に何も表示しないようにしている。そして、この間で押下操作を中断した場合、つまり、短押し操作をした場合、コマンドＡ１が起動されて携帯機器はコマンドＡ１を実行する。連続操作時間が２００ｍｓ〜１４９９ｍｓの間は、図１に示すように長押しフィードバック表示が表示部になされる。この間で押下操作を中断した場合にはコマンドの起動には遷移せず、携帯機器はコマンドを起動する操作を中断したものとみなす。連続操作時間が１５００ｍｓを越えると長押しフィードバック表示は再び非表示になり、コマンド２を起動する。１５００ｍｓを越えると、キー、ボタンの押下操作の有無に拘わらずコマンドＡ２が起動されて、携帯機器はコマンドＡ２を実行する。
【００１５】
図１の例は、一つの入力部に２つのコマンドが割当てられている実施の形態であるが、図３に３つのコマンドを割当てた実施の形態を示している。図示の状態は、操作キーの連続操作時間が短押し操作の閾値を越えた状態を示しており、表示部に長押しフィードバック表示がなされている。長押しフィードバック表示は、バー表現の時間表示と「コマンドＢ２」、「コマンドＢ３」の二つのコマンド表示がなされている。
【００１６】
以下、図４により図３の実施の形態について説明する。図４において、短押し操作の閾値は２００ｍｓである。１５００ｍｓは第２のコマンドＢ２を起動する長押し操作の閾値、２５００ｍｓは第３のコマンドＢ３を起動する長押し操作の閾値である。
【００１７】
即ち、キーの連続操作時間が０ｍｓ〜１９９ｍｓの間は、長押しフィードバック表示はなされない。この間で押下操作を中断した場合、つまり、短押し操作をした場合、コマンドＢ１が起動されて携帯機器はコマンドＢ１を実行する。連続操作時間が２００ｍｓ〜１４９９ｍｓの間は、図３に示すように長押しフィードバック表示が表示部になされる。この間で押下操作を中断した場合にはコマンドの起動には遷移せず、携帯機器はコマンドを起動する操作を中断したものとみなす。連続操作時間が１５００ｍｓ〜２４９９ｍｓの間は、長押しフィードバック表示を継続するが、この間で押下操作を中断した場合にはコマンドＢ２を起動する。そして、連続操作時間が２５００ｍｓを越えると長押しフィードバック表示は非表示になり、キーの押下操作の有無に拘わらずコマンドＢ３が起動されて、携帯機器はコマンドＢ３を実行する。
【００１８】
次に、図５は本発明の実施の形態における携帯機器の主要部を示すブロック構成図である。図５において、１は操作キー、タッチパネル等の入力部、２は入力部１が押下操作されている連続操作時間を検出する連続入力時間検出部、３はこの連続入力時間検出部２の検出した連続操作時間に応じてコマンド記憶部４が記憶するコマンドの実行をコマンド実行部６へ指示するコマンド呼び出し部、５は長押しフィードバック表示等の表示を行なう表示部である。
【００１９】
また、図６はコマンド記憶部４に記憶したコマンド、長押しフィードバック表示のデータベースである。このデータベースは、入力部Ａ〜Ｃ毎に連続操作時間とコマンド起動の有無、及びフィードバック表示の有無を対応付けたものである。例えば、入力部Ａについては、連続操作時間が０〜１９９ｍｓの間はコマンドＡ１を起動で、長押しフィードバック非表示、連続操作時間が２００〜１４９９ｍｓの間はコマンド起動の操作中断で、長押しフィードバックを表示、連続操作時間が１５００ｍｓでコマンドＡ２を起動し、長押しフィードバック表示と対応付けている。入力部Ｂ、Ｃについても同様である。図からも判るように入力部Ａは二つのコマンドが対応付けられており、入力部Ｂは三つのコマンドが対応付けられており、入力部Ｃは一つのコマンドが対応付けられている。
【００２０】
即ち、連続入力時間検出部２は入力部１の連続操作時間を検出していおり、コマンド呼び出し部３へそのデータを供給している。コマンド呼び出し部３は連続操作時間に対応して操作されている入力部１のデータをコマンド記憶部４から呼び出し、コマンド実行部６へコマンドの実行を指示する。表示部５はコマンド呼び出し部３を経由して連続操作時間を入力しており、連続操作時間の経過によりコマンド記憶部４から読み出した長押しフィードバック表示の有無のデータに基づいて表示制御を行なう。
【００２１】
以下、図７に基づいて本発明の携帯機器の処理動作を説明する。
【００２２】
入力部１が操作されると（ＳＴ１）、入力部１からの信号が連続しているかを（ＳＴ２）で判定する。ここで、経過時間が０ｍｓの場合は以後に信号が連続するか判らないので連続していると判断する。（ＳＴ１）の判断で連続していないと判断したときはキー操作が中断したものと判断して（ＳＴ９）へ処理が移行するが、ここでは、経過時間が０ｍｓなので信号が連続しているものとして（ＳＴ３）へ移行する。（ＳＴ３）では連続操作時間を加算し、コマンド呼び出し部３が操作されている入力部１に対応したコマンドの一覧を記憶部４から呼び出す。次に、（ＳＴ５）で信号が連続している経過時間より長い閾値のコマンドが呼び出したコマンド一覧に存在するか判断する。（ＳＴ５）の判断でコマンドが存在していなければ、長押しの連続時間が最終のコマンドの閾値に到達したものとして（ＳＴ９）へ移行するが、ここでは、経過時間より長い閾値のコマンドが存在するとして（ＳＴ６）へ移行する。
【００２３】
（ＳＴ６）では経過時間に該当する長押しフィードバック表示が表示可能かを判断する。（ＳＴ６）の判断で表示できない場合は短押し状態であり、（ＳＴ２）へ処理が移行するが、ここでは、表示可能として（ＳＴ７）に移行する。（ＳＴ７）では表示部５が当該コマンドを含む表示可能な全てのコマンドを所定の表示形式で表示すると共に、（ＳＴ８）で連続押下時間を所定の表示形式で表示部５に表示する。次に、（ＳＴ９）では経過時間が包括しているコマンド一覧の中で最も閾値の大きいコマンドを呼び出す。そして、（ＳＴ１０）で当該コマンドが実行される。
【００２４】
以下、上記の処理フローを具体的に、図６の入力部Ａが操作されている入力部のコマンド一覧として呼び出された場合を例に、８０ｍｓ、１０００ｍｓ、１６００ｍｓで連続押下を中断したときの処理を説明する。
【００２５】
まず、８０ｍｓで連続押下を中断した場合は、（ＳＴ６）の判断は、図６の記憶部のデータベースを参照すると、長押しフィードバックが非表示となっているので、表示部５には何も表示されない状態である。かつ、押下を中断しているので、入力が途切れ（ＳＴ２）から（ＳＴ９）へ処理が移行する。（ＳＴ９）では、８０ｍｓ以内で最大の閾値のコマンドが図６のデータベースから呼び出されるので、コマンドＡ１が呼び出され、（ＳＴ１０）で実行されることになる。
【００２６】
次に、１０００ｍｓで連続押下を中断した場合は、（ＳＴ６）の判断は、２００ｍｓを越えた時点で、図６のデータベースを参照すると、長押しフィードバックを表示となっているので、表示部５にはコマンドＡ２と連続押下時間が（ＳＴ７）、（ＳＴ８）で表示されている状態である。かつ、連続押下を中断するので、（ＳＴ２）で（ＳＴ９）への移行処理がなされる。（ＳＴ９）では、１０００ｍｓ以内で最大の閾値のコマンドが図６のデータベースから呼び出されるので、操作の中断が呼び出され、（ＳＴ１０）で操作の中断が実行されることになる。
【００２７】
さらに、１６００ｍｓで連続押下を中断した場合は、既に１５００ｍｓを越えた時点で（ＳＴ５）によって、（ＳＴ９）に自動遷移し、コマンドＡ２が呼び出され、（ＳＴ１０）でコマンドＡ２が実行されている状態となっているので、表示部５にはコマンドＡ２実行後の状態が表示されている。
【産業上の利用可能性】
【００２８】
本発明は、携帯電話機等一つ入力部に対して複数のコマンドを割当てた入力部を有する携帯機器に適用可能である。
【図面の簡単な説明】
【００２９】
【図１】本発明の実施の形態に係る一つのボタンに二つのコマンドを割当てた場合のコマンドの実行を指令する操作キーと表示部の表示例を示した説明図である。
【図２】本発明の実施の形態に係る長押しフィードバック表示と携帯機器の動作との関係を示した説明図である。
【図３】本発明の実施の形態に係る一つのボタンに三つのコマンドを割当てた場合のコマンドの実行を指令する操作キーと表示部の表示例を示した説明図である。
【図４】本発明の実施の形態に係る長押しフィードバック表示と携帯機器の動作との関係を示した説明図である。
【図５】本発明の実施の形態に係る携帯機器の主要部を示したブロック構成図である。
【図６】本発明の実施の形態に係るコマンド記憶部のデータベースを示した図である。
【図７】本発明の実施の形態に係る携帯機器の処理動作を示したフローチャートである。
【符号の説明】
【００３０】
１  入力部    ２  連続入力時間検出部    ３  コマンド呼出部    ４  コマンド記憶部    ５  表示部    ６  コマンド実行部
【図１】
2007086977.tif 000003
【図２】
2007086977.tif 000004
【図３】
2007086977.tif 000005
【図４】
2007086977.tif 000006
【図５】
2007086977.tif 000007
【図６】
2007086977.tif 000008
【図７】
2007086977.tif 000009